(57)【要約】      （修正有）【課題】インク流路の洗浄性及び記録装置への充填性に優れたインクセットの提供。【解決手段】浸透溶剤及びＨＬＢ値１０以下の界面活性剤を含む洗浄液と、浸透溶剤を含むインク組成物と、を備え、前記洗浄液と前記インク組成物とを体積基準で等量混合して混合液としたときに、該混合液の下記式で算出される分離パラメータが、０．５０以上である、インクセット。2015229696.tif 000012（物質１，２，３，…は前記混合液に含まれ得るＨＬＢ値１０超過の界面活性剤；物質ａ，ｂ，ｃ，…は前記混合液に含まれる前記ＨＬＢ値１０以下の界面活性剤）【選択図】なし【特許請求の範囲】
【請求項１】
ＨＬＢ値１０以下の界面活性剤及び浸透溶剤を含む洗浄液と、
浸透溶剤を含むインク組成物と、を備え、
前記洗浄液と前記インク組成物とを体積基準で等量混合して混合液としたときに、該混合液の下記式で算出される分離パラメータが、０．５０以上である、インクセット。
【数１】
2015229696.tif 000010
（式中、物質１，２，３，…は、前記混合液に含まれ得るＨＬＢ値１０超過の界面活性剤を示し、物質ａ，ｂ，ｃ，…は、前記混合液に含まれる前記ＨＬＢ値１０以下の界面活性剤を示す。）
【請求項２】
前記洗浄液に含まれるＨＬＢ値１０以下の前記界面活性剤は、下記式（１）で表されるアセチレングリコール系界面活性剤を含む、請求項１に記載のインクセット。
【化１】
2015229696.tif 000011
（式（１）中、Ｒ1、Ｒ2、及びＲ3は、各々独立して、炭素数１〜６のアルキル基を表し、ｍ、ｎ、ｐ、及びｑは、１〜５０の整数である。）
【請求項３】
前記洗浄液に含まれる前記浸透溶剤は、グリコールエーテル系化合物を含む、請求項１又は２に記載のインクセット。
【請求項４】
前記インク組成物に含まれる前記浸透溶剤は、グリコールエーテル系化合物を含む、請求項１〜３のいずれか１項に記載のインクセット。
【請求項５】
前記インク組成物が、染料を含む、請求項１〜４のいずれか１項に記載のインクセット。
【発明の詳細な説明】
【技術分野】
【０００１】
本発明は、インクセットに関する。
【背景技術】
【０００２】
インクジェット記録方法は、比較的単純な装置で、高精細な画像の記録が可能であり、各方面で急速な発展を遂げている。その中で、記録装置のメンテナンスの面について種々の検討がなされている。例えば、特許文献１には、色剤濃度が高く、また顔料を含有するインクを使用するインクジェットプリンターに適用する場合でも優れた洗浄性を発揮し、かつ、部材を犯すことなく既存のインクジェットプリンターで使用可能であり、消泡性、防腐防黴効果も優れる新規のインクジェット記録用メンテナンス液を提供することを目的として、少なくとも水と、０．３〜１５重量％の範囲のアルキレングリコールモノアルキルエーテルを含有することを特徴とするインクジェット記録用メンテナンス液が開示されている。
【先行技術文献】
【特許文献】
【０００３】
【特許文献１】特開２００９−２６９４０７号公報
【発明の概要】
【発明が解決しようとする課題】
【０００４】
洗浄液（メンテナンス液）の洗浄力又は洗浄性能（以下、まとめて「洗浄性」ともいう。）をさらに高める場合には、比較的疎水性の界面活性剤を使用することが好ましい。しかしながら、界面活性剤の疎水性を高めるほど、インク組成物と洗浄液の相溶性が低下する。そのため、インク組成物と洗浄液を置換する際に、インク流路内で両者が分離しやすく、記録装置へのインク組成物又は洗浄液のインク流路へ速やかに充填される性質（充填性）が低下するという問題がある。充填性の低下はノズル抜けなどの現象として現れる。
【０００５】
本発明は、上述の課題の少なくとも一部を解決するためになされたものであり、インク流路の洗浄性及び記録装置への充填性に優れたインクセットを提供することを目的とする。
【課題を解決するための手段】
【０００６】
本発明者らは、上記課題を解決するために鋭意検討した。その結果、所定の関係を有する洗浄液とインク組成物とを用いることにより上記課題を解決できることを見出して、本発明を完成させた。
【０００７】
すなわち、本発明は以下のとおりである。
〔１〕
ＨＬＢ値１０以下の界面活性剤及び浸透溶剤を含む洗浄液と、
浸透溶剤を含むインク組成物と、を備え、
前記洗浄液と前記インク組成物とを体積基準で等量混合して混合液としたときに、該混合液の下記式で算出される分離パラメータが、０．５０以上である、インクセット。
【数１】
2015229696.tif 000002
（式中、物質１，２，３，…は、前記混合液に含まれ得るＨＬＢ値１０超過の界面活性剤を示し、物質ａ，ｂ，ｃ，…は、前記混合液に含まれる前記ＨＬＢ値１０以下の界面活性剤を示す。）
〔２〕
前記洗浄液に含まれるＨＬＢ値１０以下の前記界面活性剤は、下記式（１）で表されるアセチレングリコール系界面活性剤を含む、請求項１に記載のインクセット。
【化１】
2015229696.tif 000003
（式（１）中、Ｒ1、Ｒ2、及びＲ3は、各々独立して、炭素数１〜６のアルキル基を表し、ｍ、ｎ、ｐ、及びｑは、１〜５０の整数である。）
〔３〕
前記洗浄液に含まれる前記浸透溶剤は、グリコールエーテル系化合物を含む、請求項１又は２に記載のインクセット。
〔４〕
前記インク組成物に含まれる前記浸透溶剤は、グリコールエーテル系化合物を含む、請求項１〜３のいずれか１項に記載のインクセット。
〔５〕
前記インク組成物が、染料を含む、請求項１〜４のいずれか１項に記載のインクセット。
【発明を実施するための形態】
【０００８】
以下、本発明を実施するための形態（以下、「本実施形態」という。）について詳細に説明するが、本発明はこれに限定されるものではなく、その要旨を逸脱しない範囲で様々な変形が可能である。
【０００９】
〔インクセット〕
本実施形態のインクセットは、浸透溶剤及びＨＬＢ値１０以下の界面活性剤を含む洗浄液と、浸透溶剤と同じか異なる浸透溶剤を含むインク組成物と、を備え、前記洗浄液と前記インク組成物とを体積基準で等量混合して混合液としたときに、該混合液の下記式で算出される分離パラメータが、０．５０以上である。
【数２】
2015229696.tif 000004
（式中、物質１，２，３，…は、前記混合液に含まれ得るＨＬＢ値１０超過の界面活性剤を示し、物質ａ，ｂ，ｃ，…は、前記混合液に含まれる前記ＨＬＢ値１０以下の界面活性剤を示す。）
【００１０】
通常、洗浄液の洗浄性をさらに高めるために比較的疎水性の界面活性剤を使用することが効果的である。特に、インク連続供給システムを備える記録装置は、疎水性の材料からなるインク流路やインクタンクが使用されることが多いため、インク連続供給システムに用いる洗浄液には、比較的疎水性の界面活性剤を使用することが効果的である。しかしながら、疎水性の界面活性剤は水への溶解性が低いため、疎水性の界面活性剤を含む洗浄液とインク組成物とを置換する際に、インク流路内で両者が分離しやすい。分離が生じると、疎水性の界面活性剤が高粘度化する傾向にあり、記録装置へのインク組成物又は洗浄液の充填性が低下する。
【００１１】
これに対し、本実施形態のインクセットは、所定の組成を有する洗浄液及びインク組成物を、上記分離パラメータが０．５０以上になるような関係にすることにより、洗浄液の洗浄性を向上させつつ、充填性の向上をも図ることができるものである。
【００１２】
ここで、「洗浄液」は、インク充填時の消泡効果を目的として、インク充填前又は記録装置の長期不使用時にインク収容容器内又はインク流路内の少なくともいずれかに予め充填する液である。洗浄液の充填箇所及び充填量は特に限定されるものではなく、インク収容容器又はインク流路内の少なくとも一部に洗浄液を充填すればよい。
【００１３】
また、インクジェット記録装置を用いた画像の記録を長期間行わない場合や吐出不良が起こった場合には、インク収容容器又はインク流路内の少なくともいずれかをインクから洗浄液に置換することができる。洗浄液への置換は、インクで満たされたインク収容容器又はインク流路内の少なくともいずれかに洗浄液を流入させて、インク収容容器又はインク流路内の少なくともいずれかのインクを洗浄液に置き換えることで行うことができる。この際、洗浄液の流入に先立って、インク収容容器又はインク流路内の少なくともいずれかのインクを系外に排出してもよい。
【００１４】
一方、インクジェット記録装置を用いて画像の記録を再開する場合には、洗浄液で満たされたインク収容容器又はインク流路内の少なくともいずれかにインクを流入させて、洗浄液をノズル開口部から排出させることで、洗浄液をインクと置換すればよい。この際、インクの流入に先立って、インク収容容器又はインク流路内の少なくともいずれかの洗浄液をノズル開口部から排出させてもよい。
【００１５】
また、インク収容容器又はインク流路の少なくともいずれかをインク又は洗浄液で充填するのに、インクと洗浄液とを通常のクリーニング動作で入れ替えるようにして充填してもよい。また、記録ヘッドのノズル開口面をキャップにより封止して、キャップと吸引ポンプで接続し、吸引ポンプによりキャップ内に負圧を発生させて、インク又は洗浄液をインク流路内に流通させることで充填してもよい。
【００１６】
ここで、「インク流路」とは、インクジェット記録装置において、インクを流通させるための流路をいう。インク流路としては、例えば、インクを貯留するインク収容容器からインクジェット式記録ヘッドにインクを供給するためのインク供給路や、インクジェット式記録ヘッド内においてインクをノズル開口部まで流通させるための流路が挙げられる。
【００１７】
また、「インク供給システム」とは、空気導入口を有するインク収容容器（インクタンク）と、インク収容容器内のインクを吐出するノズルを有するプリントヘッドと、上記インク収容容器及び上記プリントヘッドを接続し、上記インク収容容器から上記プリントヘッドへインクを供給するインク供給路と、を備えるものをいう。
【００１８】
〔洗浄液〕
洗浄液は、ＨＬＢ値１０以下の界面活性剤及び浸透溶剤を含む。なお、本明細書において「ＨＬＢ値」とは、グリフィン法により定義される値である。
【００１９】
（浸透溶剤）
洗浄液に含まれ得る浸透溶剤としては、特に限定されないが、例えば、エチレングリコールモノ（ジ）メチルエーテル、エチレングリコールモノ（ジ）エチルエーテル、エチレングリコールモノ（ジ）プロピルエーテル、エチレングリコールモノ（ジ）ブチルエーテル、ジエチレングリコールモノ（ジ）メチルエーテル、ジエチレングリコールモノ（ジ）エチルエーテル、ジエチレングリコールモノ（ジ）プロピルエーテル、ジエチレングリコールモノ（ジ）ブチルエーテル、トリエチレングリコールモノ（ジ）メチルエーテル、トリエチレングリコールモノ（ジ）エチルエーテル、トリエチレングリコールモノ（ジ）プロピルエーテル、トリエチレングリコールモノ（ジ）ブチルエーテル、プロピレングリコールモノ（ジ）メチルエーテル、プロピレングリコールモノ（ジ）エチルエーテル、プロピレングリコールモノ（ジ）プロピルエーテル、プロピレングリコールモノ（ジ）ブチルエーテル、ジプロピレングリコールモノ（ジ）メチルエーテル、ジプロピレングリコールモノ（ジ）エチルエーテル、ジプロピレングリコールモノ（ジ）プロピルエーテル、ジプロピレングリコールモノ（ジ）ブチルエーテル、トリプロピレングリコールモノ（ジ）メチルエーテル、トリプロピレングリコールモノ（ジ）エチルエーテル、トリプロピレングリコールモノ（ジ）プロピルエーテル、トリプロピレングリコールモノ（ジ）ブチルエーテルのようなグリコールエーテル系化合物；１，３−ブタンジオール、３−メチル−１，３−ブタンジオール、１，５−ペンタンジオール、３−メチル−１，５−ペンタンジオール、１，２−ヘキサンジオール、１，６−ヘキサンジオール、２−エチル−１，３−ヘキサンジオールのようなアルキルジオール系化合物が挙げられる。浸透溶剤は、１種単独で用いても、２種以上を併用してもよい。
【００２０】
洗浄液に含まれる浸透溶剤は、特にグリコールエーテル系化合物又はアルキルジオール系化合物を含むことが好ましく、グリコールエーテル系化合物を含むことがより好ましい。グリコールエーテル系化合物のなかでも、好ましくは、エチレングリコールモノメチルエーテル、エチレングリコールモノブチルエーテル、ジエチレングリコールモノメチルエーテル、ジエチレングリコールジメチルエーテル、ジエチレングリコールモノブチルエーテル、トリエチレングリコールモノメチルエーテル、トリエチレングリコールモノブチルエーテル、プロピレングリコールモノメチルエーテル、ジプロピレングリコールモノメチルエーテル、トリプロピレングリコールモノメチルエーテルが挙げられる。このような洗浄液を含むことにより、充填性がより向上する傾向にある。
【００２１】
洗浄液における浸透溶剤の総含有量は、洗浄液の総量（１００質量部）に対して、好ましくは３．０〜１５質量部であり、より好ましくは４．０〜１２質量部質量部であり、さらに好ましくは５．０〜１０質量部である。浸透溶剤の含有量が４．０質量部以上であることにより、充填性がより向上する傾向にある。また、浸透溶剤の含有量が１２質量部以下であることにより、洗浄性がより向上する傾向にある。
【００２２】
（界面活性剤）
洗浄液に含まれ得る界面活性剤としては、特に限定されないが、例えば、非イオン系界面活性剤が挙げられる。非イオン系界面活性剤としては、特に限定されないが、例えば、アセチレン系ジアルコール、ポリオキシエチレンアセチレニックグリコールエーテル、ポリオキシエチレンアルキル及びアルキルフェニルエーテル、アルキルアリルホルムアルデヒド縮合ポリオキシエチレンエーテル、ポリオキシエチレンポリオキシプロピレンブロックポリマー、ポリオキシエチレンポリオキシプロピレンアルキルエーテル、グリセリンエステルのポリオキシエチレンエーテル、ソルビタンエステルのポリオキシエチレンエーテル、ソルビトールエステルのポリオキシエチレンエーテル、エステル型として、ポリエチレングリコール脂肪酸エステル、グリセリンエステル、ポリグリセリンエステル、ソルビタンエステル、プロピレングリコールエステル、ショ糖エステル、脂肪酸アルカノールアミド、ポリオキシエチレン脂肪酸アミド、ポリオキシエチレンアルキルアミド、フッ素系界面活性剤等が挙げられる。界面活性剤は、１種単独で用いても、２種以上を併用してもよい。
【００２３】
洗浄液は、上記界面活性剤の中でもＨＬＢ値１０以下のものを含み、必要に応じて、ＨＬＢ値１０超過の界面活性剤を含んでもよい。洗浄液は、ＨＬＢ値１０以下の界面活性剤を含むことが好ましく、ＨＬＢ値７以下の界面活性剤を含むことがより好ましい。洗浄液がＨＬＢ値１０以下の界面活性剤を含むことにより、洗浄性がより向上する傾向にある。
【００２４】
洗浄液に含まれるＨＬＢ値１０以下の界面活性剤は、下記式（１）で表されるアセチレングリコール系界面活性剤を含むことが好ましい。このなかでも、好ましくは、ポリオキシエチレン(４)アセチレニック・グリコールエーテル、２，５，８，１１−テトラメチル−６−ドデシン−５，８−ジオール、２，４，７，９−テトラメチル−５−デシン−４，７−ジオール、２，４，７，９−テトラメチルデカ−５−イン−４，７−ジオールが挙げられる。このような界面活性剤を含むことにより、洗浄性がより向上する傾向にある。
【化２】
2015229696.tif 000005
（式（１）中、Ｒ1、Ｒ2、及びＲ3は、各々独立して、炭素数１〜６のアルキル基を表し、ｍ、ｎ、ｐ、及びｑは、１〜５０の整数である。）
【００２５】
洗浄液におけるＨＬＢ値１０以下の界面活性剤の含有量は、洗浄液の総量（１００質量部）に対して、好ましくは０．１０〜１．０質量部であり、さらに好ましくは０．３〜０．５質量部である。ＨＬＢ値１０以下の界面活性剤の含有量が０．１０質量部以上であることにより、洗浄性がより向上する傾向にある。また、ＨＬＢ値１０以下の界面活性剤の含有量が１．０質量部以下であることにより、充填性がより向上する傾向にある。
【００２６】
洗浄液における界面活性剤の総含有量は、洗浄液の総量（１００質量部）に対して、好ましくは０．３〜４．０質量部であり、さらに好ましくは１．０〜２．０質量部である。界面活性剤の含有量が０．３質量部以上であることにより、洗浄性がより向上する傾向にある。また、界面活性剤の含有量が４．０質量部以下であることにより、充填性がより向上する傾向にある。
【００２７】
洗浄液に含まれる浸透溶剤を第１の浸透溶剤、界面活性剤を第１の界面活性剤と呼んでもよい。
【００２８】
（保湿剤）
洗浄液は、保湿剤を含んでもよい。保湿剤としては、特に限定されないが、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン、ジアセトンアルコール等のケトン又はケトアルコール；テトラヒドロフラン、ジオキサン等のエーテル；ポリエチレングリコール、ポリプロピレングリコール等のポリアルキレングリコール；エチレングリコール、プロピレングリコール、ブチレングリコール、ジエチレングリコール、トリエチレングリコール、ジプロピレングリコール、トリプロピレングリコール、チオジグリコール、ヘキシレングリコール等のアルキレングリコール；グリセリン；２−ピロリドン；Ｎ−メチル−２−ピロリドン；１，３−ジメチル−２−イミダゾリジノン等が挙げられる。洗浄液は、１種単独で用いても、２種以上を併用してもよい。
【００２９】
（水）
洗浄液は、水を含有してもよい。水としては、例えば、イオン交換水、限外濾過水、逆浸透水、及び蒸留水等の純水、並びに超純水のような、イオン性不純物を極力除去したものが挙げられる。また、紫外線照射又は過酸化水素の添加等によって滅菌した水を用いると、洗浄液を長期保存する場合にカビやバクテリアの発生を防止することができ、より貯蔵安定性がより向上する傾向にある。水の含有量は特に制限されず、必要に応じて適宜決定することができる。
【００３０】
（その他の成分）
洗浄液は、溶解助剤、粘度調整剤、ｐＨ調整剤、酸化防止剤、防腐剤、防黴剤、腐食防止剤、及び分散に影響を与える金属イオンを捕獲するためのキレート化剤などの、種々の添加剤を適宜含んでもよい。
【００３１】
〔インク組成物〕
インク組成物は、浸透溶剤を含む。
【００３２】
（浸透溶剤）
インク組成物に含まれ得る浸透溶剤としては、特に限定されないが、例えば、上記洗浄液における浸透溶剤として例示したものが挙げられる。浸透溶剤は、１種単独で用いても、２種以上を併用してもよい。
【００３３】
インク組成物に含まれる浸透溶剤は、グリコールエーテル系化合物又はアルキルジオール系化合物を含むことが好ましく、グリコールエーテル系化合物を含むことがより好ましい。グリコールエーテル系化合物のなかでも、好ましくは、エチレングリコールモノメチルエーテル、エチレングリコールモノブチルエーテル、ジエチレングリコールモノメチルエーテル、ジエチレングリコールジメチルエーテル、ジエチレングリコールモノブチルエーテル、トリエチレングリコールモノメチルエーテル、トリエチレングリコールモノブチルエーテル、プロピレングリコールモノメチルエーテル、ジプロピレングリコールモノメチルエーテル、トリプロピレングリコールモノメチルエーテルが挙げられる。このような浸透溶剤を含むことにより、充填性がより向上する傾向にある。なお、インク組成物に含まれ得る浸透溶剤と、洗浄液に含まれ得る浸透溶剤とは、同一であっても異なってもよいが、相溶性の観点から同一の溶剤であることがより好ましい。
【００３４】
インク組成物における浸透溶剤の総含有量は、インク組成物の総量（１００質量部）に対して、好ましくは３．０〜１５質量部であり、より好ましくは４．０〜１２質量部であり、さらに好ましくは５．０〜１０質量部である。浸透溶剤の含有量が３．０質量部以上であることにより、充填性がより向上する傾向にある。また、浸透溶剤の含有量が１６質量部以下であることにより、吐出特性がより向上する傾向にある。
【００３５】
（界面活性剤）
インク組成物は界面活性剤を含んでもよい。インク組成物に含まれ得る界面活性剤としては、特に限定されないが、例えば、上記洗浄液における界面活性剤として例示したものが挙げられる。界面活性剤は、１種単独で用いても、２種以上を併用してもよい。インク組成物は、上記界面活性剤の中でもＨＬＢ値１０以下のもの、及びＨＬＢ値１０超過のものの少なくともいずれか１つを含んでもよい。なお、インク組成物に含まれ得る界面活性剤と、洗浄液に含まれ得る界面活性剤とは、同一であっても異なってもよい。
【００３６】
インク組成物におけるＨＬＢ値１０以下の界面活性剤の含有量（１００質量部）は、インク組成物の総量に対して、好ましくは０．１〜１．０質量部であり、さらに好ましくは０．３〜０．５質量部である。ＨＬＢ値１０以下の界面活性剤の含有量が０．１質量部以上であることにより、洗浄性がより向上する傾向にある。また、ＨＬＢ値１０以下の界面活性剤の含有量が１．０質量部以下であることにより、充填性がより向上する傾向にある。
【００３７】
インク組成物におけるＨＬＢ値１０超過の界面活性剤の含有量（１００質量部）は、インク組成物の総量に対して、好ましくは０．３〜４．０質量部であり、さらに好ましくは１．０〜２．０質量部である。ＨＬＢ値１０超過の界面活性剤の含有量が０．３質量部以上であることにより、充填性がより向上する傾向にある。また、ＨＬＢ値１０超過の界面活性剤の含有量が４．０質量部以下であることにより、吐出特性がより向上する傾向にある。
【００３８】
インク組成物における界面活性剤の総含有量は、インク組成の総量（１００質量部）に対して、好ましくは０．３〜４．０質量部であり、さらに好ましくは１．０〜２．０質量部である。界面活性剤の含有量が０．３質量部以上であることにより、充填性がより向上する傾向にある。また、界面活性剤の含有量が４．０質量部以下であることにより、充填性がより向上する傾向にある。
【００３９】
インク組成物に含まれる浸透溶剤を第２の浸透溶剤、界面活性剤を第２の界面活性剤と呼んでもよい。
【００４０】
（色材）
インク組成物は、色材を含んでもよい。色材としては、顔料及び染料が挙げられるが、このなかでも染料を含むことが好ましい。染料を含むことにより、染料と界面活性剤の相互作用により、インク組成物の濡れ性が変化し、充填性が低下するという問題があるが、本発明のインクセットであればインク組成物の濡れ性をコントロールすることができるため、本発明が特に有用である。染料としては、特に限定されないが、例えば、以下のものが挙げられる。
【００４１】
イエローインク組成物用の染料としては、特に限定されないが、例えば、Ｃ．Ｉ．Ｒｅａｃｔｉｖｅ  Ｙｅｌｌｏｗ２、３、７、１５、１７、１８、２２、２３、２４、２５、２７、３７、３９、４２、５７、６９、７６、８１、８４、８５、８６、８７、９２、９５、１０２、１０５、１１１、１２５、１３５、１３６、１３７、１４２、１４３、１４５、１５１、１６０、１６１、１６５、１６７、１６８、１７５、１７６等の反応性染料；Ｃ．Ｉ．Ａｃｉｄ  Ｙｅｌｌｏｗ１、３、１１、１７、１８、１９、２３、２５、３６、３８、４０、４０：１、４２、４４、４９、５９、５９：１、６１、６５、６７、７２、７３、７９、９９、１０４、１５９、１６９、１７６、１８４、１９３、２００、２０４、２０７、２１５、２１９、２１９：１、２２０、２３０、２３２、２３５、２４１、２４２、２４６等の酸性染料；Ｃ．Ｉ．Ｄｉｓｐｅｒｓｅ  Ｙｅｌｌｏｗ３、４、５、７、９、１３、２３、２４、３０、３３、３４、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１０８、１１４、１１６、１１８、１１９、１２２、１２４、１２６、１３５、１４０、１４１、１４９、１６０、１６２、１６３、１６４、１６５、１７９、１８０、１８２、１８３、１８４、１８６、１９２、１９８、１９９、２０２、２０４、２１０、２１１、２１５、２１６、２１８、２２４、２２７、２３１、２３２等の分散染料が挙げられる。
【００４２】
マゼンタインク組成物用の染料としては、特に限定されないが、例えば、Ｃ．Ｉ．Ｒｅａｃｔｉｖｅ  Ｒｅｄ２、３、３：１、５、８、１１、２１、２２、２３、２４、２８、２９、３１、３３、３５、４３、４５、４９、５５、５６、５８、６５、６６、７８、８３、８４、１０６、１１１、１１２、１１３、１１４、１１６、１２０、１２３、１２４、１２８、１３０、１３６、１４１、１４７、１５８、１５９、１７１、１７４、１８０、１８３、１８４、１８７、１９０、１９３、１９４、１９５、１９８、２１８、２２０、２２２、２２３、２２６、２２８、２３５等の反応性染料；Ｃ．Ｉ．Ａｃｉｄ  Ｒｅｄ１、６、８、９、１３、１８、２７、３５、３７、５２、５４、５７、７３、８２、８８、９７、９７：１、１０６、１１１、１１４、１１８、１１９、１２７、１３１、１３８、１４３、１４５、１５１、１８３、１９５、１９８、２１１、２１５、２１７、２２５、２２６、２４９、２５１、２５４、２５６、２５７、２６０、２６１、２６５、２６６、２７４、２７６、２７７、２８９、２９６、２９９、３１５、３１８、３３６、３３７、３５７、３５９、３６１、３６２、３６４、３６６、３９９、４０７、４１５等の酸性染料；Ｃ．Ｉ．Ｄｉｓｐｅｒｓｅ  Ｒｅｄ１、４、５、７、１１、１２、１３、１５、１７、２７、４３、４４、５０、５２、５３、５４、５５、５６、５８、５９、６０、６５、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２７７、２７８、２７９、２８１、２８８、２９８、３０２、３０３、３１０、３１１、３１２、３２０、３２４、３２８等の分散染料が挙げられる。
【００４３】
シアンインク組成物用の染料としては、特に限定されないが、例えば、Ｃ．Ｉ．Ｄｉｒｅｃｔ  Ｂｌｕｅ８７が挙げられる。
【００４４】
オレンジインク組成物用の染料は、Ｃ．Ｉ．Ａｃｉｄ  Ｏｒａｎｇｅ３３及びＣ．Ｉ．Ａｃｉｄ  Ｏｒａｎｇｅ９４の少なくとも１種を含むものであれば特に限定されない。第４染料はそれら以外の染料を含んでもよく、そのような染料としては、例えば、Ｃ．Ｉ．Ｒｅａｃｔｉｖｅ  Ｏｒａｎｇｅ１、４、５、７、１１、１２、１３、１５、１６、２０、３０、３５、５６、６４、６７、６９、７０、７２、７４、８２、８４、８６、８７、９１、９２、９３、９５、１０７等の反応性染料；Ｃ．Ｉ．Ａｃｉｄ  Ｏｒａｎｇｅ３、７、８、１０、１９、２２、２４、５１、５１Ｓ、５６、６７、７４、８０、８６、８７、８８、８９、９５、１０７、１０８、１１６、１２２、１２７、１４０、１４２、１４４、１４９、１５２、１５６、１６２、１６６、１６８等の酸性染料；Ｃ．Ｉ．Ｄｉｓｐｅｒｓｅ  Ｏｒａｎｇｅ１、３、５、７、１１、１３、１７、２０、２１、２５、２９、３０、３１、３２、３３、３７、３８、４２、４３、４４、４５、４６、４７、４８、４９、５０、５３、５４、５５、５６、５７、５８、５９、６１、６６、７１、７３、７６、７８、８０、８９、９０、９１、９３、９６、９７、１１９、１２７、１３０、１３９、１４２等の分散染料が挙げられる。
【００４５】
ブルーインク組成物用の染料としては、特に限定されないが、例えば、Ｃ．Ｉ．Ｒｅａｃｔｉｖｅ  Ｂｌｕｅ２、３、４、７、１３、１４、１５、１９、２１、２５、２７、２８、２９、３８、３９、４１、４９、５０、５２、６３、６９、７１、７２、７７、７９、８９、１０４、１０９、１１２、１１３、１１４、１１６、１１９、１２０、１２２、１３７、１４０、１４３、１４７、１６０、１６１、１６２、１６３、１６８、１７１、１７６、１８２、１８４、１９１、１９４、１９５、１９８、２０３、２０４、２０７、２０９、２１１、２１４、２２０、２２１、２２２、２３１、２３５、２３６、Ｃ．Ｉ．Ｒｅａｃｔｉｖｅ  Ｖｉｏｌｅｔ１、２、４、５、６、２２、２３、３３、３６、３８等の反応性染料；Ｃ．Ｉ．Ａｃｉｄ  Ｂｌｕｅ  １、７、９、１５、２３、２５、４０、６１：１、６２、７２、７４、８０、８３、９０、９２、１０３、１０４、１１２、１１３、１１４、１２０、１２７、１２７：１、１２８、１２９、１３８、１４０、１４２、１５６、１５８、１７１、１８２、１８５、１９３、１９９、２０１、２０３、２０４、２０５、２０７、２０９、２２０、２２１、２２４、２２５、２２９、２３０、２３９、２５８、２６０、２６４、２７７：１、２７８、２７９、２８０、２８４、２９０、２９６、２９８、３００、３１７、３２４、３３３、３３５、３３８、３４２、３５０、Ｃ．Ｉ．Ａｃｉｄ  Ｖｉｏｒｅｔ１７、１９、２１、４２、４３、４７、４８、４９、５４、６６、７８、９０、９７、１０２、１０９、１２６等の酸性染料；Ｃ．Ｉ．Ｄｉｓｐｅｒｓｅ  Ｂｌｕｅ３、７、９、１４、１６、１９、２０、２６、２７、３５、４３、４４、５４、５５、５６、５８、６０、６２、６４、７１、７２、７３、７５、７９、８１、８２、８３、８７、９１、９３、９４、９５、９６、１０２、１０６、１０８、１１２、１１３、１１５、１１８、１２０、１２２、１２５、１２８、１３０、１３９、１４１、１４２、１４３、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６７、２６８、２７０、２８４、２８５、２８７、２８８、２９１、２９３、２９５、２９７、３０１、３１５、３３０、３３３、Ｃ．Ｉ．Ｄｉｓｐｅｒｓｅ  Ｖｉｏｌｅｔ  １、４、８、２３、２６、２７、２８、３１、３３、３５、３６、３８、４０、４３、４６、４８、５０、５１、５２、５６、５７、５９、６１、６３、６９、７７等の分散染料が挙げられる。
【００４６】
（保湿剤）
インク組成物は、保湿剤を含んでもよく、そのような保湿剤としては上記洗浄液における保湿剤として例示したものが挙げられる。保湿剤は、１種単独で用いても、２種以上を併用してもよい。
【００４７】
（その他の成分）
インク組成物は、溶解助剤、粘度調整剤、ｐＨ調整剤、酸化防止剤、防腐剤、防黴剤、腐食防止剤、及び分散に影響を与える金属イオンを捕獲するためのキレート化剤などの、種々の添加剤を適宜含んでもよい。
【００４８】
〔分離パラメータ〕
洗浄液とインク組成物とを体積基準で等量混合して混合液としたときに、該混合液の下記式で算出される分離パラメータは、０．５０以上であり、好ましくは０．６０以上であり、より好ましくは０．７０以上である。分離パラメータは、実験により得られた下記式で求められる値であり、洗浄液とインク組成物の分離しにくさを示すものである。分離パラメータが０．５０以上であることにより、洗浄性及び充填性がより向上する傾向にある。
【数３】
2015229696.tif 000006
（式中、物質１，２，３，…は、前記混合液に含まれ得るＨＬＢ値１０超過の界面活性剤を示し、物質ａ，ｂ，ｃ，…は、前記混合液に含まれる前記ＨＬＢ値１０以下の界面活性剤を示す。）
【実施例】
【００４９】
以下、本発明を実施例及び比較例を用いてより具体的に説明する。本発明は、以下の実施例によって何ら限定されるものではない。
【００５０】
［インク組成物用の材料］
下記の実施例及び比較例において使用したインク組成物用の主な材料は、以下の通りである。
〔色材（染料）〕
Ｄｉｒｅｃｔ  Ｂｌｕｅ  １１９
Ｒｅａｃｔｉｖｅ  Ｒｅｄ  １４１
Ｄｉｒｅｃｔ  Ｙｅｌｌｏｗ  ８６
Ｄｉｒｅｃｔ  Ｙｅｌｌｏｗ１３２
〔保湿剤〕
グリセリン
〔浸透溶剤〕
トリエチレングリコールモノブチルエーテル
１，２−ヘキサンジオール
〔界面活性剤〕
ニューコール１００６（非イオン系界面活性剤、日本乳化剤社製）
オルフィンＥ１０１０（アセチレン系界面活性剤、日信化学工業社製）
ベタイン系界面活性剤（下記一般式（９）の化合物で表される）
【化３】
2015229696.tif 000007
オルフィンＰＤ００２Ｗ（アセチレン系界面活性剤、日信化学工業社製）
サーフィノール１０４ＰＧ５０（アセチレン系界面活性剤、日信化学工業社製）
サーフィノールＭＤ２０（アセチレン系界面活性剤、日信化学工業社製）
【００５１】
［洗浄液及びインク組成物の調製］
各材料を下記の表１に示す組成で混合し、十分に撹拌し、洗浄液及びインク組成物を得た。なお、下記の表１中、数値の単位は質量％であり、合計は１００．０質量％である。
【００５２】
【表１】
2015229696.tif 000008
【００５３】
［実施例１〜７、比較例１〜６］
〔洗浄性〕
記録装置内のインク流路を想定してシリコン基板を用意した。シリコン基板に対して洗浄液を０．５μＬ滴下し、滴下２０秒後の接触角を測定した。得られた接触角に基づいて下記評価基準により洗浄性を評価した。
（評価基準）
○：接触角が５°以下であった。
△：接触角が５°以上、１０°未満であった。
×：接触角が１０°以上であった。
【００５４】
〔分離リスク〕
洗浄液とインク組成物とを体積基準で１：１の割合で混合した混合液において、液面付近の状態を目視観察した。観察結果に基づいて下記評価基準により分離リスクを評価した。
（評価基準）
○：混合液の液面付近で分離が観察されなかった。
×：混合液の液面付近で分離が観察された。
【００５５】
〔充填性〕
洗浄液を、インクジェットプリンター（Ｌ１００〔製品名〕、セイコーエプソン社製）のインクタンクに２０ｇ充填した。その後、Ｌ１００の定める初期充填シーケンスに従い、洗浄液をインク供給路及びインク貯留室を介してヘッド外へと排出した。次いで、インクタンク内にインク組成物を充填した後、Ｌ１００の定めるパワーインクフラッシングを２回動作させることで、インクのヘッドへの充填動作を行い、インク組成物をインクタンクのインク収容容器からインク供給路及びインク貯留室を介してヘッドまで充填した。この後、ヘッドの全ノズルからインクが吐出できるかどうかを確認するため、ノズルチェックを実施した。ノズル抜けの本数を確認し、下記評価基準により充填性を評価した。
（評価基準）
○：ノズル抜けが、０〜２本であった。
×：ノズル抜けが、３本以上であった。
【００５６】
なお、インクジェットプリンター（Ｌ１００〔製品名〕、セイコーエプソン社製）は、空気導入口を有するインク収容容器と、インクを吐出するノズルを有するプリントヘッドと、インク収容容器及び前記プリントヘッドを相互に接続し、インク収容容器からプリントヘッドへインクを供給するインク供給路と、該インク供給路に設けられたフィルターと、を備えるものである。
【００５７】
【表２】
2015229696.tif 000009
【００５８】
ここで実施例３の分離パラメータについて説明する。実施例３は、インク（Ｍ−１）と洗浄液（Ｗ−１）の組み合わせである。分離パラメータは、洗浄液とインクが１：１の割合で混合した溶液について考えるので、Ｍ−１とＷ−１が１：１で混合した溶液１００ｇの組成を算出する。そして分離パラメータ式中の物質１はニューコール１００６を、物質２はオルフィンＥ１０１０を、物質３はベタイン系界面活性剤を、物質ａはサーフィノール１０４ＰＧ５０を、物質ｂはサーフィノールＭＤ２０を示している。
分子の計算式（Ｉ）＝｛１．５／（１３．４−１０）｝＋｛０．１５／（１３−１０）｝＋｛０．５／（１０．４−１０）｝＋（１０／１０）となる。
分母の計算式（ＩＩ）＝（０．１５／４）＋（０．１５／４）となる。
したがって、分離パラメータ＝（Ｉ）／（ＩＩ）×（１／７０）＝０．５２となる。